(57)【要約】【課題】箱の内部の仕切りの中で収容物の安定性を確保し、緩衝機能の向上を図り、併せて、箱、仕切りの組み立て、収容物の箱の中への収容の作業、箱の廃棄を容易にする。【解決手段】箱１の正面に仕切り２を一体的に備え、仕切り２は第１の収容物保持部２２、連結部２３、第２の収容物保持部２４を有し、正面に固定される基部２１とこれに連接する第１の収容物保持部２２との間の折り曲げ部、及び正面に固定される接着片２６とこれに連接する第２の収容物保持部２４との間の折り曲げ部を回動中心として箱１内で回動可能に構成され、正面の内側面上で折り畳み可能でかつ組み立て可能になっている。【選択図】図１
2013203415.tif 000002
【特許請求の範囲】
【請求項１】
上部に上蓋により開閉可能な開口を有し、全体が略直方体形状に形成される箱と、
前記箱に一体的に形成され、前記箱の内部にボトル形の容器その他の収容物を保持可能な緩衝用の仕切りと、
を備え、
前記仕切りは、
前記箱の内面に連続し、前記箱の内部で前記収容物の上部側周囲を保持可能な第１の収容物保持部と、
前記箱の内面に連続し、前記箱の内部で前記収容物の下部側周囲を保持可能な第２の収容物保持部と、
前記第１、第２の収容物保持部間を連結する連結部と、
を有し、
前記箱の内部に前記収容物を収容し、前記仕切りの前記第１、第２の収容物保持部により前記収容物の上下周囲を保持する、
ことを特徴とする緩衝機能付き包装用箱。
【請求項２】
箱は相互に隣り合う各側面が内面を合せて折り畳み可能に構成され、仕切りは、前記箱の内部に、第１の収容物保持部、第２の収容物保持部及び連結部がそれぞれ、箱の内面に折り畳み可能に形成される請求項１に記載の緩衝機能付き包装用箱。
【請求項３】
連結部又は第２の収容物保持部の下部に箱の内部の底部上で仕切り全体を支持可能な支持部を併せて有する請求項１又は２に記載の緩衝機能付き包装用箱。
【請求項４】
第１、第２の収容物保持部にそれぞれ、当該各収容物保持部の形状を維持するための第１、第２の収容物保持部形状維持部を併せて有する請求項１乃至３のいずれかに記載の緩衝機能付き包装用箱。
【請求項５】
仕切りは箱の内部に折り畳み可能に形成されるとともに、折り畳まれた状態での各部が重なり合う箇所のうち、相対的に重なりの多い箇所の厚さを調整するための手段を有する請求項１乃至４のいずれかに記載の緩衝機能付き包装用箱。
【請求項６】
一枚のブランクシートから一体的に打ち抜かれて形成され、上部に上蓋により開閉可能な開口を有し、全体が略直方体形状の箱に組み立て可能な箱形成形状部と、前記箱形成形状部の一部に連続し、組み立て後の前記箱の内部にボトル形の容器その他の収容物を保持可能な緩衝用の仕切りを形成するための仕切り形成形状部とを備え、
前記仕切り形成形状部は、
前記箱形成形状部の組み立て状態で前記箱の一側面をなす一側面形状部の前記上部開口側の端部に前記一側面形状部の内側面に沿って折り返し可能に連続する平面形状に形成され、当該一側面の内側面に接着固定されて、組み立て状態で前記仕切りの基部をなす基部形状部と、
前記基部形状部の前記一側面形状部側の端部とは反対の端部に略直角に折り曲げ可能に連続する平面形状に形成され、当該平面に前記収容物の外周形状に対応する開口部を打抜かれて、組み立て状態で前記箱の内部に略水平方向に向けて配置され、前記収容物の周囲を保持可能な第１の収容物保持部をなす第１の収容物保持部形状部と、
前記第１の収容物保持部形状部の前記基部形状部側の端部とは反対の端部に前記箱形成形状部の組み立て状態で前記箱の一側面に対向する他側面をなす他側面形状部の内側面に沿って略直角に折り曲げ可能に連続する平面形状に形成されて、組み立て状態で前記箱の内部で前記他側面の内側面に沿って下方に向けて延びる連結部をなす連結部形状部と、
前記連結部形状部の前記第１の収容物保持部形状部側の端部とは反対の端部に略直角に折り曲げ可能に連続する平面形状に形成され、当該平面に前記収容物の外周形状に対応する開口部を打抜かれて、組み立て状態で前記箱の内部で前記第１の収容物保持部の下方に略平行に配置され、前記収容物の周囲を保持可能な第２の収容物保持部をなす第２の収容物保持部形状部と、
前記第２の収容物保持部形状部の前記連結部形状部側の端部とは反対の端部に前記一側面形状部の内側面に沿って略直角に折り曲げ可能に連続する平面形状に形成されて、組み立て状態で前記一側面の内側面に接着固定される接着片をなす接着片形状部と、
を備え、
前記箱の組み立て状態で、前記仕切り形成形状部は前記第１の収容物保持部形状部、前記連結部形状部、前記第２の収容物保持部形状部がそれぞれ前記一側面の内側面に固定される前記基部形状部とこれに連接する前記第１の収容物保持部形状部との間の折り曲げ部、及び当該内側面に固定される前記接着片形状部とこれに連接する前記第２の収容物保持部形状部との間の折り曲げ部を回動中心として前記箱内で回動可能に構成され、
前記一側面の内側面に前記第１の収容物保持部が一部を前記一側面の上部開口側の端部から外部に突出されて倒伏し、前記第１の収容物保持部上に前記第２の収容物保持部が前記連結部とともに倒伏して、前記仕切り形成形状部が折り畳まれた状態から、前記一側面から前記箱の外部に突出する前記第１の収容物保持部の一部を前記箱の内部に押し入れることにより、これに連動して前記第１の収容物保持部、前記連結部、前記第２の収容物保持部が前記箱の内部で起こされて、前記緩衝用の仕切りが組み立てられる、
ことを特徴とする緩衝機能付き包装用箱。
【請求項７】
仕切りは、第１の収容物保持部形状部の両側にそれぞれ、箱形成形状部の組み立て状態で箱の一側面の両側に隣接する各隣接側面をなす各隣接側面形状部の内側面に沿って略直角に折り曲げ可能に連続する平面形状に形成されて、組み立て状態で前記箱の内部で前記各隣接側面の内側面に沿って下方に向けて延び、第１の収容物保持部の形状を維持する第１の収容物保持部形状維持部をなす第１の収容物保持部形状維持部形状部と、第２の収容物保持部形状部の両側にそれぞれ、箱形成形状部の組み立て状態で前記各隣接側面をなす各隣接側面形状部の内側面に沿って略直角に折り曲げ可能に連続する平面形状に形成されて、組み立て状態で前記箱の内部で前記各隣接側面の内側面に沿って下方に向けて延び、第２の収容物保持部の形状を維持する第２の収容物保持部形状維持部をなす第２の収容物保持部形状維持部形状部とを併せて備え、前記第１、第２の収容物保持部形状維持部により前記第１、第２の収容物保持部の形状が維持される請求項６に記載の緩衝機能付き包装用箱。
【請求項８】
仕切りは、連結部形状部の第１の収容物保持部形状部側の端部とは反対の端部に第２の収容物保持部形状部と分割して前記連結部形状部の延長方向に延び、前記第２の収容物保持部形状部の開口部内に突出する平面形状に形成されて、組み立て状態で箱の内部で当該箱の底部に向けて突出し、当該底部上で仕切り全体を支持可能な支持部をなす支持部形状部を併せて備え、第１、第２の収容物保持部がそれぞれ支持部及び連結部を介して略水平に支持される請求項７に記載の緩衝機能付き包装用箱。
【請求項９】
第１の収容物保持部形状維持部形状部は組み立て状態での上下方向の長さが連結部形状部の上下方向の長さよりも長く、第２の収容物保持部形状維持部形状部の外側に配置される請求項８に記載の緩衝機能付き包装用箱。
【請求項１０】
第２の収容物保持部形状維持部形状部は組み立て状態での上下方向の長さが支持部形状部の上下方向の長さよりも短い請求項８又は９に記載の緩衝機能付き包装用箱。
【請求項１１】
第１の収容物保持部形状維持部形状部は連結部形状部側の端縁部に組み立て状態で箱の他側面に圧接可能な突状部が形成される請求項６乃至１０のいずれかに記載の緩衝機能付き包装用箱。
【請求項１２】
第１の収容物保持部形状部の基部形状部と連結部形状部との間の長さ及び第２の収容物保持部形状部の接着片形状部と連結部形状部との間の長さはそれぞれ、組み立て状態の箱の一側面と他側面との間の長さよりも少し短く、組み立て状態で連結部と前記他側面との間に隙間が形成される請求項６乃至１１のいずれかに記載の緩衝機能付き包装用箱。
【請求項１３】
箱は底面の一方の対角線に沿って折り畳み線を有し、当該折り畳み線を谷にして、全体が扁平状に折り畳み可能に構成され、緩衝用の仕切りは前記箱の一側面の内側面上に前記箱とともに折り畳まれ、前記箱とともに組み立てられる請求項６乃至１２のいずれかに記載の緩衝機能付き包装用箱。
【請求項１４】
仕切り形成形状部は折り畳まれた状態での各部が重なり合う箇所のうち、相対的に重なりの多い箇所の重合部分の一部に切り欠きが形成され、当該重なりの多い箇所の厚さが調整される請求項６乃至１３のいずれかに記載の緩衝機能付き包装用箱。
【発明の詳細な説明】
【技術分野】
【０００１】
本発明は、包装用箱に関し、特に、薬剤を収納するボトル形の容器などの収容物を個別に包装するのに使用する緩衝機能付き包装用箱に関する。
【背景技術】
【０００２】
従来から、錠剤などの薬剤を収納するボトル形の容器を包装するのに、緩衝用の仕切り付きの包装用箱が使用されている。
この種の包装用箱は、一枚のブランクシートから一体的に打ち抜かれて形成される紙基材に、上部に上蓋により開閉可能な開口を有し、全体が所定の略直方体形状の箱に組み立て可能な箱形成形状部と、箱形成形状部の一部に連続し、組み立て状態の箱の内部にボトル形の容器その他の収容物を保持可能な所定構造の緩衝用の仕切りを形成するための仕切り形成形状部とを備え、箱形成形状部が所定の略直方体形状の箱に、仕切り形成形状部が所定構造の仕切りに組み立てられる形式のものが周知である。
【０００３】
このような包装用箱が例えば特許文献１に開示されている。この文献１の包装用箱について図１０、図１１及び図１２を用いて説明する。
図１０に示すように、この包装用箱では、箱形成形状部５Ｐの特に底形状部が、一側面に連続し底形状部の一部を形成する第一底蓋片５１と、第一底蓋片５１が延出した側面に対向する側面から延出した第二底蓋片５２と、第一底蓋片５１と第二底蓋片５２の間に位置する一対の側面から延出した一対の底フラップ５３、５４と、一対の底フラップ５３、５４に形成され、隣接する第一底蓋片５１又は第二底蓋片５２に糊付けされる糊付片５５、５６とを備え、第一底蓋片５１の端部には、組み立て状態で第一底蓋片５１から立ち上がる立上片５７と、第一底蓋片５１と面一に外側へ突出し第二底蓋片５２の裏面に重ねられる第一底部ロック片５８が設けられ、第二底蓋片５２の端部には、組み立て状態で第二底蓋片５２から立ち上り第一底蓋片５１の立上片５７に重ねられる係止板５９と、第二底蓋片５２と面一に外側へ突出し第一底蓋片５１の裏面に重ねられる第二底部ロック片６０が設けられ、組み立て状態で第一底部ロック片５８は第二底蓋片５２の係止板５９に交差して係止され、第二底部ロック片６０は第一底蓋片５１の立上片５７に交差して係止され、底形状部の形状を保持するようになっている。また、仕切り形成形状部６Ｐは、組み立て状態で底形状部から立ち上がる立上片５７と、立上片５７に連続する上面片６１と、上面片６１に連続し側面に糊付けされる仕切り用糊付片６２が、互いに折罫線で区切られて設けられ、立上片５７と上面片６１の間の折罫線上に収容物が嵌合される打ち抜き部６３が形成されるとともに、立上片５７に打ち抜き部６３の中心に向けて延びる底上げ片６４が折罫線で区切られて設けられる。
このようにして、図１１に示すように、箱形成形状部５Ｐが四角形の箱５に組み立てられるとともに、箱５の内部で仕切り形成形状部６Ｐが仕切り６として組み立てられる。このとき、第一底蓋片５１の立上片５７と第二底蓋片５２の係止板５９は、底部からほぼ直角に立ち上り、互いに重ねられて立設する。そして、第一底蓋片５１の第一底部ロック片５８は第二底蓋片５２の端部の裏面に重ねられ、立設する係止板５９とほぼ直角に交差して互いに係止される。第二底蓋片５２の第二底部ロック片６０は第一底蓋片５１の端部の裏面に重ねられ、立設する立上片５７とほぼ直角に交差して互いに係止される。これにより、底形状部は折り畳み状態に戻ることを防ぎ、確実にロックされ、箱体としての底部の形状を保つ。
また、第一底蓋片５１が側面に対してほぼ９０度に引き起こされることにより、仕切り６の立上片５７、上面片６１、仕切り用糊付片６２が互いに９０度に位置し、立上片５７と上面片６１がＬ字形に形成され、打ち抜き部６３が箱体の中心に開口される。
この状態で、図１２に示すように、収容物７を箱５の中に入れ、箱５の内側にＬ字形に形成された立上片５７と上面片６１の、打ち抜き部６３に嵌合させてセットする。このとき、立上片５７の底上げ片６４は、収容物７の底部側に逆折りにしておく。これにより、収容物７は打ち抜き部６３に嵌合して保持され、その底部が底上げ片６４で支持される。これにより、収容物７は周囲が上面片６１の打ち抜き部６３の周縁部により保持され、底部が底上げ片６４で支持され、全体として緩衝効果を有して保持される。
【先行技術文献】
【特許文献】
【０００４】
【特許文献１】特開２０１０−２０８６４６公報
【発明の概要】
【発明が解決しようとする課題】
【０００５】
しかしながら、上記従来の包装用箱では、箱の中に入れた収容物の周囲が仕切りの上面片の打ち抜き部周縁部の１箇所のみで保持されるため、仕切りの中で収容物の安定性が確保されず、箱が横に倒れた場合に、収容物が仕切りの中で倒れ、箱が倒れた時の衝撃から収容物が損傷する恐れがある、という問題がある。
また、上記従来の包装用箱にあっては、箱が折り畳まれると、箱の各部が重なり合い、特に仕切りの位置で相対的に重なりの多い箇所が生じるため、箱の各部の接着位置を圧着するために、各部の接着片に接着剤を塗布し、これを貼り合わせ位置に合わせて、貼り機により加圧したときに、箱の表面に加圧跡として各部の重なり合い部分の段差が凸凹の状態になって残り、箱の見栄えを損なう、という問題がある。
【０００６】
本発明は、このような従来の問題を解決するもので、この種の包装用箱において、箱の内部の緩衝用の仕切りの中で収容物の安定性を確保し、緩衝機能の向上を図ること、箱、仕切りの組み立て、収容物の箱の中への収容の作業、使用済みになった箱の廃棄を容易にすること、及び箱が折り畳まれた状態で各部が重なり合い、特に仕切りの位置で相対的に重なりの多い箇所が生じることになっても、箱の各部の接着位置を圧着するため、貼り機により折り畳み状態の箱を仕切りとともに加圧するときに、箱の表面に加圧跡を残さず、箱の見栄えを良好に維持することなど、を目的とする。
【課題を解決するための手段】
【０００７】
上記目的を達成するために、本発明の緩衝機能付き包装用箱は、上部に上蓋により開閉可能な開口を有し、全体が略直方体形状に形成される箱と、前記箱に一体的に形成され、前記箱の内部にボトル形の容器その他の収容物を保持可能な緩衝用の仕切りとを備え、前記仕切りは、前記箱の内面に連続し、前記箱の内部で前記収容物の上部側周囲を保持可能な第１の収容物保持部と、前記箱の内面に連続し、前記箱の内部で前記収容物の下部側周囲を保持可能な第２の収容物保持部と、前記第１、第２の収容物保持部間を連結する連結部とを有し、前記箱の内部に前記収容物を収容し、前記仕切りの前記第１、第２の収容物保持部により前記収容物の上下周囲を保持する、ことを要旨とする。
また、この包装用箱は、次のような構成を併せて備えることが好ましい。
（１）箱は相互に隣り合う各側面が内面を合せて折り畳み可能に構成され、仕切りは、前記箱の内部に、第１の収容物保持部、第２の収容物保持部及び連結部がそれぞれ、箱の内面に折り畳み可能に形成される。
（２）連結部又は第２の収容物保持部の下部に箱の内部の底部上で仕切り全体を支持可能な支持部を併せて有する。
（３）第１、第２の収容物保持部にそれぞれ、当該各収容物保持部の形状を維持するための第１、第２の収容物保持部形状維持部を併せて有する。
（４）仕切りは箱の内部に折り畳み可能に形成されるとともに、折り畳まれた状態での各部が重なり合う箇所のうち、相対的に重なりの多い箇所の厚さを調整するための手段を有する。
【０００８】
上記目的を達成するために、本発明の緩衝機能付き包装用箱は、一枚のブランクシートから一体的に打ち抜かれて形成され、上部に上蓋により開閉可能な開口を有し、全体が略直方体形状の箱に組み立て可能な箱形成形状部と、前記箱形成形状部の一部に連続し、組み立て後の前記箱の内部にボトル形の容器その他の収容物を保持可能な緩衝用の仕切りを形成するための仕切り形成形状部とを備え、前記仕切り形成形状部は、前記箱形成形状部の組み立て状態で前記箱の一側面をなす一側面形状部の前記上部開口側の端部に前記一側面形状部の内側面に沿って折り返し可能に連続する平面形状に形成され、当該一側面の内側面に接着固定されて、組み立て状態で前記仕切りの基部をなす基部形状部と、前記基部形状部の前記一側面形状部側の端部とは反対の端部に略直角に折り曲げ可能に連続する平面形状に形成され、当該平面に前記収容物の外周形状に対応する開口部を打抜かれて、組み立て状態で前記箱の内部に略水平方向に向けて配置され、前記収容物の周囲を保持可能な第１の収容物保持部をなす第１の収容物保持部形状部と、前記第１の収容物保持部形状部の前記基部形状部側の端部とは反対の端部に前記箱形成形状部の組み立て状態で前記箱の一側面に対向する他側面をなす他側面形状部の内側面に沿って略直角に折り曲げ可能に連続する平面形状に形成されて、組み立て状態で前記箱の内部で前記他側面の内側面に沿って下方に向けて延びる連結部をなす連結部形状部と、前記連結部形状部の前記第１の収容物保持部形状部側の端部とは反対の端部に略直角に折り曲げ可能に連続する平面形状に形成され、当該平面に前記収容物の外周形状に対応する開口部を打抜かれて、組み立て状態で前記箱の内部で前記第１の収容物保持部の下方に略平行に配置され、前記収容物の周囲を保持可能な第２の収容物保持部をなす第２の収容物保持部形状部と、前記第２の収容物保持部形状部の前記連結部形状部側の端部とは反対の端部に前記一側面形状部の内側面に沿って略直角に折り曲げ可能に連続する平面形状に形成されて、組み立て状態で前記一側面の内側面に接着固定される接着片をなす接着片形状部とを備え、前記箱の組み立て状態で、前記仕切り形成形状部は前記第１の収容物保持部形状部、前記連結部形状部、前記第２の収容物保持部形状部がそれぞれ前記一側面の内側面に固定される前記基部形状部とこれに連接する前記第１の収容物保持部形状部との間の折り曲げ部、及び当該内側面に固定される前記接着片形状部とこれに連接する前記第２の収容物保持部形状部との間の折り曲げ部を回動中心として前記箱内で回動可能に構成され、前記一側面の内側面に前記第１の収容物保持部が一部を前記一側面の上部開口側の端部から外部に突出されて倒伏し、前記第１の収容物保持部上に前記第２の収容物保持部が前記連結部とともに倒伏して、前記仕切り形成形状部が折り畳まれた状態から、前記一側面から前記箱の外部に突出する前記第１の収容物保持部の一部を前記箱の内部に押し入れることにより、これに連動して前記第１の収容物保持部、前記連結部、前記第２の収容物保持部が前記箱の内部で起こされて、前記緩衝用の仕切りが組み立てられる、ことを要旨とする。
また、この包装用箱は、次のような構成を併せて備えることが好ましい。
（１）仕切りは、第１の収容物保持部形状部の両側にそれぞれ、箱形成形状部の組み立て状態で箱の一側面の両側に隣接する各隣接側面をなす各隣接側面形状部の内側面に沿って略直角に折り曲げ可能に連続する平面形状に形成されて、組み立て状態で前記箱の内部で前記各隣接側面の内側面に沿って下方に向けて延び、第１の収容物保持部の形状を維持する第１の収容物保持部形状維持部をなす第１の収容物保持部形状維持部形状部と、第２の収容物保持部形状部の両側にそれぞれ、箱形成形状部の組み立て状態で前記各隣接側面をなす各隣接側面形状部の内側面に沿って略直角に折り曲げ可能に連続する平面形状に形成されて、組み立て状態で前記箱の内部で前記各隣接側面の内側面に沿って下方に向けて延び、第２の収容物保持部の形状を維持する第２の収容物保持部形状維持部をなす第２の収容物保持部形状維持部形状部とを併せて備え、前記第１、第２の収容物保持部形状維持部により前記第１、第２の収容物保持部の形状が維持される。
（２）仕切りは、連結部形状部の第１の収容物保持部形状部側の端部とは反対の端部に第２の収容物保持部形状部と分割して前記連結部形状部の延長方向に延び、前記第２の収容物保持部形状部の開口部内に突出する平面形状に形成されて、組み立て状態で箱の内部で当該箱の底部に向けて突出し、当該底部上で仕切り全体を支持可能な支持部をなす支持部形状部を併せて備え、第１、第２の収容物保持部がそれぞれ支持部及び連結部を介して略水平に支持される。
（３）第１の収容物保持部形状維持部形状部は組み立て状態での上下方向の長さが連結部形状部の上下方向の長さよりも長く、第２の収容物保持部形状維持部形状部の外側に配置される。
（４）第２の収容物保持部形状維持部形状部は組み立て状態での上下方向の長さが支持部形状部の上下方向の長さよりも短い。
（５）第１の収容物保持部形状維持部形状部は連結部形状部側の端縁部に組み立て状態で箱の他側面に圧接可能な突状部が形成される。
（６）第１の収容物保持部形状部の基部形状部と連結部形状部との間の長さ及び第２の収容物保持部形状部の接着片形状部と連結部形状部との間の長さはそれぞれ、組み立て状態の箱の一側面と他側面との間の長さよりも少し短く、組み立て状態で連結部と前記他側面との間に隙間が形成される。
（７）箱は底面の一方の対角線に沿って折り畳み線を有し、当該折り畳み線を谷にして、全体が扁平状に折り畳み可能に構成され、緩衝用の仕切りは前記箱の一側面の内側面上に前記箱とともに折り畳まれ、前記箱とともに組み立てられる。
（８）仕切り形成形状部は折り畳まれた状態での各部が重なり合う箇所のうち、相対的に重なりの多い箇所の重合部分の一部に切り欠きが形成され、当該重なりの多い箇所の厚さが調整される。
【発明の効果】
【０００９】
本発明の緩衝機能付き包装用箱は、上記の構成により、次のような効果を奏する。
（１）箱と箱に備えた仕切りの各構成により、箱の内部に収容物を収容し、仕切りの第１、第２の収容物保持部により収容物の上下周囲を保持するようにしたので、箱の内部の仕切りの中で収容物の安定性を確保し、緩衝機能の向上を図ることができる。
（２）箱と箱に備えた仕切りの各構成により、箱の組み立てとともに箱の内部に仕切りを組み立てることができ、しかも、仕切りの組み立てとともに箱の内部に収容物を収容することもでき、また反対に、箱の内部に仕切りを折り畳んで箱全体を折り畳むことができ、仕切りの組み立て、収容物の収容作業、使用済みになった箱の廃棄を容易にすることができる。
（３）箱と箱に備えた仕切りの各構成により、箱が折り畳まれた状態で各部が重なり合い、特に仕切りの位置で相対的に重なりの多い箇所が生じることになっても、箱の各部の接着位置を圧着するため、各部の接着片に接着剤を塗布し、これを貼り合わせ位置に合わせて、貼り機により加圧したときに、箱の表面に凸凹状の加圧跡を残さず、箱の見栄えを良好に維持することができる。
【図面の簡単な説明】
【００１０】
【図１】本発明の一実施の形態における緩衝機能付き包装用箱の箱及び仕切りの構成を示す一部破断斜視図
【図２】同包装用箱の箱及び仕切りの構成を示す側面断面図
【図３】同包装用箱の箱及び仕切りの構成を示す背面断面図
【図４】同包装用箱の特に箱の底面の構成を示す底面図
【図５】同包装用箱を構成する紙基材の展開図
【図６】同包装用箱の箱及び仕切りの組み立て状態を示す一部破断斜視図
【図７】同包装用箱の箱の組み立て状態及び仕切りの折り畳み状態を示す斜視図
【図８】同包装用箱の箱及び仕切りの折り畳み状態を示す斜視図
【図９】同包装用箱に収容物（プラボトル）を収容し保持した状態を示す側面断面図
【図１０】従来の包装用箱の一例として示す基材の展開図
【図１１】同包装箱の基材から組み立てられた箱及び仕切りの構成を示す一部破断斜視図
【図１２】同包装用箱の箱内に収容物が収容され、仕切りに保持された状態を示す側面断面図
【発明を実施するための形態】
【００１１】
次に、この発明を実施するための形態について図を用いて説明する。図１乃至図４に本発明の緩衝機能付き包装用箱（以下、包装用箱Ｂとする）を示している。図１に示すように、包装用箱Ｂは、上部に上蓋１８により開閉可能な開口１０１を有し、全体が略直方体形状に形成される箱１と、箱１に一体的に形成され、箱１の内部にボトル形の容器その他の収容物を保持可能な緩衝用の仕切り２とを備え、仕切り２が、箱１の内面に連続し、箱１の内部で収容物の上部側周囲を保持可能な第１の収容物保持部２２と、箱１の内面に連続し、箱１の内部で収容物の下部側周囲を保持可能な第２の収容物保持部２４と、第１、第２の収容物保持部２２、２４間を連結する連結部２３とを有し、箱１の内部に収容物を収容し、仕切り２の第１、第２の収容物保持部２２、２４により収容物の上下周囲を保持するようになっている。なお、ここで例示する包装用箱Ｂは、薬剤を収納するプラスチック製のボトル（以下の説明において、単に「プラボトル」という。）を包装するための厚紙その他の紙材からなる紙の箱で、プラボトルを個別に縦置きにして収納可能に構成される。
この包装用箱Ｂにおいては、箱１は相互に隣り合う各側面が内面を合せて折り畳み可能に構成され、仕切り２は、箱１の内部で、第１の収容物保持部２２、第２の収容物保持部２４及び連結部２３がそれぞれ、箱１の内面に折り畳み可能に形成される。また、この仕切り２には、連結部２３又は第２の収容物保持部２４の下部に箱１の内部の底部上で当該仕切り２全体を支持可能な支持部２５、第１、第２の収容物保持部２２、２４にそれぞれ、当該各収容物保持部２２、２４の形状を維持するための第１、第２の収容物保持部形状維持部２７、２８、箱１の内部に折り畳まれた状態での各部が重なり合う箇所のうち、相対的に重なりの多い箇所の厚さを調整するための手段などが併せて設けられる。
以下、箱１、仕切り２について詳述する。
【００１２】
図１、図２及び図３に示すように、箱１は背面１１、左側面１２、正面１３、右側面１４をなす相互に平行に連接して形成される４側面及びその一方の側縁、この場合、背面１１の側縁に併せて形成される接着片１５（図５参照）と、４側面のうち相互に対向する２側面、この場合、左右の各側面１２、１４の上下両端にそれぞれ形成される一対の上フラップ１６Ｌ、１６Ｒ及び下フラップ１７Ｌ、１７Ｒ（図４参照）と、これらの２側面とは別の他の１側面又は２側面、この場合、背面１１の上端に形成される上蓋１８及び接着片１８１と、背面１１の下端、正面１３の下端にそれぞれ形成され、各下フラップ１７Ｌ、１７Ｒとともに底面１９をなす底分割面１９Ｆ、１９Ｒ（図４参照）とを備えて構成され、上蓋１８が開閉可能になっている。
また、この箱１の場合、図４に示すように、底分割面１９Ｆ、１９Ｒはそれぞれ、底面１９を一方の対角線で略２等分された各半面をなす略台形の底本体部１９１及び底本体部１９１の一方の対角線に沿う斜めの縁部から底本体部１９１の突出端側の形状と略対称的に延び、箱１の組み立て時に隣接する一方の下フラップ１７Ｒ又は１７Ｌの面内に接着固定される接着片１９２を有し、この底本体部１９１と接着片１９２との間に、各底本体部１９１を底面１９の一方の対角線上に沿って谷折りにして折り畳み可能とする折り畳み線１９３が付設されて、箱１の組み立て時に、各底分割面１９Ｆ、１９Ｒの各接着片１９２、１９２が接着剤を介して各下フラップ１７Ｒ、１７Ｌの表面に接着固定され、各底本体部１９１、１９１の先端側が相互に他方の底分割面１９Ｒ、１９Ｆの接着片１９２、１９２に接着固定された下フラップ１７Ｌ又は１７Ｒの内側に差し込まれて形成される。このようにして箱１は底面１９の一方の対角線に沿って折り畳み線１９３、１９３を有し、当該折り畳み線１９３、１９３を谷にして、箱１全体が扁平状に折り畳み可能に構成される。
【００１３】
図１、図２及び図３に示すように、緩衝用の仕切り２は、箱１の一側面をなす正面１３の上部開口１０１の縁部に延長して形成される。
この仕切り２は、組み立て状態の箱の正面１３の上部開口１０１側の端部に正面１３の内側面に沿って折り返し可能に連続する平面形状に形成され、正面１３の内側面に接着固定される基部２１と、基部２１の正面１３側の端部とは反対の端部に略直角に折り曲げ可能に連続する平面形状に形成され、当該平面にプラボトルの外周形状に対応する開口部２２０を打抜かれて、箱１の内部に略水平方向に向けて配置され、プラボトルの上部側周囲を保持可能な第１の収容物保持部２２と、第１の収容物保持部２２の基部２１側の端部とは反対の端部に正面１３に対向する他側面をなす背面１１の内側面に沿って略直角に折り曲げ可能に連続する平面形状に形成されて、箱１の内部で背面１１の内側面に沿って下方に向けて延びる連結部２３と、連結部２３の第１の収容物保持部２２側の端部とは反対の端部に略直角に折り曲げ可能に連続する平面形状に形成され、当該平面にプラボトルの外周形状に対応する開口部２４０を打抜かれて、箱１の内部で第１の収容物保持部２２の下方に略平行に配置され、プラボトルの下部側周囲を保持可能な第２の収容物保持部２４と、連結部２３の第１の収容物保持部２２側の端部とは反対の端部に第２の収容物保持部２４と分割して連結部２３の延長方向に延び、第２の収容物保持部２４の開口部２４０内に突出する平面形状に形成されて、箱１の内部で当該箱１の底面１９に向けて突出し、当該底面１９上で仕切り２全体を支持可能な支持部２５と、第２の収容物保持部２４の連結部２３側の端部とは反対の端部に箱１の内部で正面１３の内側面に沿って略直角に折り曲げ可能に連続する平面形状に形成されて、正面１３の内側面に接着固定される接着片２６と、第１の収容物保持部２２の両側にそれぞれ、箱１の正面１３の両側に隣接する各隣接側面をなす左側面１２、右側面１４の内側面に沿って略直角に折り曲げ可能に連続する平面形状に形成されて、箱１の内部で左側面１２、右側面１４の内側面に沿って下方に向けて延び、第１の収容物保持部２２の形状を維持する第１の収容物保持部形状維持部２７（２７Ｌ、２７Ｒ）と、第２の収容物保持部形状部２４の両側にそれぞれ、箱の左側面１２、右側面１４の内側面に沿って略直角に折り曲げ可能に連続する平面形状に形成されて、箱１の内部で左側面１２、右側面１４の内側面に沿って下方に向けて延び、第２の収容物保持部２４の形状を維持する第２の収容物保持部形状維持部２８Ｌ、２８Ｒとを備えて構成される。
この場合、第１の収容物保持部形状維持部２７Ｌ、２７Ｒはそれぞれ、上下方向の長さが連結部２３の上下方向の長さよりも長く、第２の収容物保持部形状維持部２８Ｌ、２８Ｒの外側に配置される。第２の収容物保持部形状維持部２８Ｌ、２８Ｒは組み立て状態での上下方向の長さが支持部２５の上下方向の長さよりも短い。第１の収容物保持部形状維持部２７Ｌ、２７Ｒの連結部２３側の端縁部には組み立て状態での箱１の背面１１に圧接可能な突状部２７１、２７１が形成される。第１の収容物保持部２２の基部２１と連結部２３との間の長さ及び第２の収容物保持部２４の接着片２６と連結部２３との間の長さはそれぞれ、箱１の正面１３と背面１１との間の長さよりも少し短く、仕切り２の連結部２３と箱１の背面１１との間に隙間Ｓが形成される。仕切り２は折り畳まれた状態での各部が重なり合う箇所のうち、相対的に重なりの多い箇所の重合部分の一部に切り欠き２９（図５参照）が形成され、当該重なりの多い箇所の厚さが調整される。
このようにして仕切り２は箱１の正面１３の内側面上に箱１とともに折り畳まれ、箱１とともに組み立てられる。
【００１４】
これらの箱１及び仕切り２は一枚のブランクシート（空白紙）から一体的に打ち抜かれて形成され、上部に上蓋１８により開閉可能な開口１０１を有し、全体が略直方体形状の箱１に組み立て可能な箱形成形状部１Ｐと、箱形成形状部１Ｐの一部に連続し、組み立て後の箱１の内部にプラボトルを保持可能な緩衝用の仕切り２を形成するための仕切り形成形状部２Ｐとを有する一枚の紙基材からなり、この紙基材を折り曲げ、各接着位置を固定して組み立てることにより形成される。
【００１５】
図５にこの紙基材Ｐを示している。図５に示すように、この紙基材Ｐの箱形成形状部１Ｐは、一方の側部側に一方の側縁に接着片１５をなす縦長の帯状の接着片形状部１５Ｐを有する所定の大きさを有する縦長の矩形状の背面形状部１１Ｐが形成され、この背面形状部１１Ｐの一方の長辺側に、箱１の左側面１２をなす所定の大きさを有する縦長の矩形状の左側面形状部１２Ｐ、正面１３をなす背面形状部１１Ｐと同じ大きさ、形状を有する正面形状部１３Ｐ、右側面１４をなす左側面形状部１２Ｐと同じ大きさ、形状を有する右側面形状部１４Ｐが順次、折れ線３１、３２、３３、３４を介して連続して形成され、さらに、背面形状部１１Ｐの一方の短辺側に折れ線３５を介して延出され、上蓋１８をなす矩形状の上蓋形状部１８Ｐ、及びその延長上に折れ線３６を介して連続して形成され、上蓋１８の接着片１８１をなす横長の帯状の接着片形状部１８１Ｐと、背面形状部１１Ｐの他方の短辺側に折れ線３７を介して延出され、底分割面１９Ｒの底本体部１９１をなす略直角三角形に近似する台形状の底本体部形状部１９１Ｐ及び接着片１９２をなし下フラップ１７Ｌ内に重合可能な四辺形の接着片形状部１９２Ｐと、左側面形状部１２Ｐの一方の短辺側に折れ線３８を介して延出され、上フラップ１６Ｌをなす台形状の上フラップ形状部１６１Ｐと、左側面形状部１２Ｐの他方の短辺側に折れ線３９を介して延出され、下フラップ１７Ｌをなす台形状の下フラップ形状部１７１Ｐと、正面形状部１３Ｐの一方の短辺側の延長上に折れ線４０を介して連続して形成され、仕切り２を形成するための複合形状からなる仕切り形成形状部２Ｐと、正面形状部１３Ｐの他方の短辺側に折れ線４１を介して延出され、底面１９をなす背面形状部１１Ｐ側の底本体部形状部１９１Ｐ及び接着片形状部１９２Ｐと同じ大きさ、形状を有する底本体部形状部１９１Ｐ及び接着片形状部１９２Ｐと、右側面形状部１４Ｐの一方の短辺側に折れ線４２を介して延出され、上フラップ１６Ｒをなす一方の上フラップ形状部１６１Ｐと概ね同じ大きさ、形状を有する上フラップ形状部１６２Ｐと、右側面形状部１４Ｐの他方の短辺側に折れ線４３を介して延出され、下フラップ１６Ｒをなす一方の下フラップ形状部１７１Ｐと概ね同じ大きさ、形状を有する下フラップ形状部１７２Ｐとを備える。
この場合、前後の各正面形状部１３Ｐ、背面形状部１１Ｐの幅は左右の各側面形状部１２Ｐ、１４Ｐの幅よりも少し大きくなっている。なお、正面形状部１３Ｐの上部中央には上縁部から下方に向けて台形状にミシン目状の切り込みが入れられて、開封用の破断線Ｌ３が形成される。上蓋形状部１８Ｐは箱１の上開口１０１全面を閉塞可能な大きさを有している。各底本体部形状部１９１Ｐ、１９１Ｐは箱１の下開口１０２面を略一方の対角線を境に概ね半面ずつ閉塞可能に同じ大きさを有し、隣接する各下フラップ形状部１７１Ｐ、１７２Ｐの一部に重ねて固定される各接着片形状部１９２Ｐ、１９２Ｐを併せて有している。各上フラップ形状部１６１Ｐ、１６２Ｐは箱１の上開口１０１面を概ね半面ずつ閉塞可能に同じ大きさを有している。また、この上フラップ形状部１６１Ｐ、１６２Ｐの場合、（組み立て状態で）上蓋形状部１８Ｐ側の辺がそれぞれ左側面形状部１２Ｐ、右側面形状部１４Ｐの上縁部に対して直角に延ばされていて、仕切り形成形状部２Ｐ側の辺がそれぞれ各側面形状部１２Ｐ、１４Ｐと正面形状部１３Ｐとの間の折れ線３３、３４に対して（各側面形状部１２Ｐ、１４Ｐ側に）僅かに下がった位置から少し略直状に延び、この略直状の形状部を介して仕切り形成形状部２Ｐから徐々に離れる方向に少し斜めに延ばされている。各下フラップ形状部１７１Ｐ、１７２Ｐは箱１の下開口１０２面を概ね半面ずつ閉塞可能に同じ大きさを有している。また、この場合、各底本体部形状部１９１Ｐの長い斜辺上で底本体部形状部１９１Ｐと接着片形状部１９２Ｐとの間に折れ線４４、４５が付けられ、その一部にミシン面状の切り込み４４Ｓ、４５Ｓが入れられて、折り畳み線Ｌ１、Ｌ２が形成される。
【００１６】
また、この紙基材Ｐの仕切り形成形状部２Ｐは、正面形状部１３Ｐの上端部に延長して、組み立て状態で仕切り２の基部２１をなす略台形状の基部形状部２１Ｐ、組み立て状態で第１の収容物保持部２２をなす中央に開口部２２０を有する矩形状の第１の収容物保持部形状部２２Ｐ、組み立て状態で連結部２３をなす矩形状の連結部形状部２３Ｐ、組み立て状態で第２の収容物保持部２４をなす中央に開口部２４０を有する矩形状の第２の収容物保持部形状部２４Ｐ及び支持部２５をなす台形状の支持部形状部２５Ｐ、組み立て状態で接着片２６をなす矩形状の接着片形状部２６Ｐが順次、折れ線４０、４６１、４６２、４６３、４６４を介して連続して形成され、さらに、組み立て状態で第１の収容物保持部形状部２２Ｐの両側にそれぞれ第１の収容物保持部形状維持部２７Ｌ、２７Ｒをなす略台形状の第１の収容物保持部形状維持部形状部２７ＬＰ、２７ＲＰが折れ線４６５、４６６を介して連続して形成され、組み立て状態で第２の収容物保持部形状部２４Ｐの両側にそれぞれ、第２の収容物保持部形状維持部２８Ｌ、２８Ｒをなす矩形状の第２の収容物保持部形状維持部形状部２８ＬＰ、２８ＲＰが折れ線４６７、４６８を介して連続して形成される。
この場合、基部形状部２１Ｐは横方向の長さが正面形状部１３Ｐの上端部の長さよりも僅かに小さく、縦方向の長さが上フラップ形状部１６１Ｐ、１６２Ｐのそれよりも僅かに小さい所定の寸法の横長に形成される。なお、この基部形状部２１Ｐには折れ線４０を対称中心にして箱形成形状部１Ｐの正面形状部１３Ｐの開封用の破断線Ｌ３に対して対称的な位置に破断線Ｌ３で切り取られる部分よりも大きい矩形状の穴２１０が形成される。第１の収容物保持部形状部２２Ｐは全体が箱１の上部開口１０１面よりも少し小さい所定の大きさに形成され、開口部２２０はプラボトルの外径よりも僅かに大きい所定の径の円形に形成される。また、第１の収容物保持部形状部２２Ｐは基部形状部２１Ｐと連結部形状部２３Ｐとの間の長さが組み立て状態の箱１の正面１３と背面１１との間の長さよりも少し短く形成される。連結部形状部２３Ｐは横方向の長さが第１の収容物保持部形状部２２Ｐよりも僅かに小さく、縦方向の長さが横方向の長さよりも短い所定の寸法の横長に形成される。第２の収容物保持部形状部２４Ｐは概ね第１の収容物保持部形状部２２Ｐと同じ大きさ、形状に形成される。支持部形状部２５Ｐは横方向の長さが開口部２４０の直径よりも小さく、縦方向の長さが組み立て状態で底本体部形状部１９１Ｐに当接可能に所定の寸法に形成される。接着片形状部２６Ｐは横方向の長さが第２の収容物保持部形状部２４Ｐと同じで、縦方向の長さが横方向の長さよりも短い所定の寸法の横長に形成される。第１の収容物保持部形状維持部形状部２７ＬＰ、２７ＲＰはそれぞれ、横方向（組み立て状態で上下方向）の長さが連結部形状部２３Ｐの縦方向（組み立て状態で上下方向）の長さよりも少し大きい所定の寸法に形成され、また、縦方向（組み立て状態で水平方向）の長さは第１の収容物保持部形状部２２Ｐとは反対側の端部が第１の収容物保持部形状部２２Ｐの縦方向（組み立て状態で水平方向）の長さよりも小さい所定の寸法に、第１の収容物保持部形状部２２Ｐ側の端部が第１の収容物保持部形状部２２Ｐよりも少し大きく、連結部形状部２３Ｐ側の端縁部が連結部形状部２３Ｐ側へ僅かに突出する所定の寸法に形成される。なお、第１の収容物保持部形状維持部形状部２７ＬＰ、２７ＲＰは組み立て状態の箱１の内部で回動可能に、第１の収容物保持部形状維持部形状部２７ＬＰ、２７ＲＰの第１の収容物保持部形状部２２Ｐとは反対側の端部が正面形状部１３Ｐ側に短く形成され、この端部と連結部形状部２３Ｐ側の端縁部との間が円弧状に又は直線状に斜めに形成される。また、第２の収容物保持部形状維持部形状部２８ＬＰ、２８ＲＰはそれぞれ、縦方向（組み立て状態で前後方向）の長さが第２の収容物保持部形状部２４Ｐと同じで、横方向（組み立て状態で上下方向）の長さが縦方向の長さよりも短く、この場合、支持部形状部の縦方向（組み立て状態で上下方向）の長さよりも短い所定の寸法の縦長に形成される。
また、この場合、仕切り形成形状部２Ｐには、折り畳まれた状態で各部が重なり合う箇所のうち、相対的に重なりの多い箇所の重合部分の一部に、当該重なりの多い箇所の厚さを調整するための切り欠き２９が形成される。ここでは、第１の収容物保持部形状維持部形状部２７ＲＰの折れ線４６６付近に切り欠き２９が穴形に形成され、また、第１の収容物保持部形状維持部形状部２７ＲＰと第２の収容物保持部形状維持部形状部２８ＲＰとの間に切り欠き２９が形成されて第２の収容物保持部形状維持部形状部２８ＲＰの長さが第２の収容物保持部形状維持部形状部２８ＬＰよりも短くなっている。
【００１７】
このような構成からなる紙基材Ｐは、まず、仕切り形成形状部２Ｐの各形状部２１Ｐ〜２８ＲＰが次のように折り曲げられ、各接着箇所が接着されて、仕切り２が組み立てられる。この仕切り２の組み立てについて、主として図５を用い、必要に応じて図６及び図７を参照して説明する。図５において、初めに、正面形状部１３Ｐに対して折れ線４０を介して基部形状部２１Ｐが、その内側面に接着剤を塗布された状態で、正面形状部１３Ｐの内側面に向けて折り返され、正面形状部１３Ｐの内側面に接着固定されて、図６に示すように、正面形状部１３Ｐの内側面に基部２１が形成される。図５において、続いて、この基部２１に対して折れ線４６１を介して第１の収容物保持部形状部２２Ｐがその外側面を上に向けて略直角に折り曲げられ、図６に示すように、第１の収容物保持部２２が形成される。図５、図６を同様にして交互に見ていくと、これに続いて、第１の収容物保持部２２に対して折れ線４６２を介して連結部形状部２３Ｐが下方に向けて略直角に折り曲げられて、連結部２３が形成される。続いて、連結部２３に対して折れ線４６３を介して第２の収容物保持部形状部２４Ｐが第１の収容物保持部２２の下方に略平行となるように略直角に折り曲げられて、第２の収容物保持部２４が形成される。続いて、第２の収容物保持部２４に対して折れ線４６４を介して接着片形状部２６Ｐが、その内側面に接着剤を塗布された状態で、下方に向けて略直角に折り曲げられ、正面形状部１３Ｐの内側面に接着固定される。そして、第１、第２の各収容物保持部２２、２４に対して折れ線４６５、４６６、４６７、４６８を介して第１、第２の各収容物保持部形状維持部形状部２７ＬＰ、２７ＲＰ、２８ＬＰ、２８ＲＰがそれぞれ、下方に向けて略直角に折り曲げられて、第１、第２の各収容物保持部形状維持部２７Ｌ、２７Ｒ、２８Ｌ、２８Ｒが形成される。これにより、仕切り２が箱形成形状部１Ｐの正面形状部１３Ｐの内側面上に組み立てられる。
そして、この仕切り２は第１の収容物保持部２２、連結部２３、第２の収容物保持部２４がそれぞれ、正面１３の内側面に固定される基部２１とこれに連接する第１の収容物保持部２２との間の折り曲げ部、すなわち折れ線４６１、及び当該内側面に固定される接着片２６とこれに連接する第２の収容物保持部２４との間の折り曲げ部、すなわち折れ線４６４をそれぞれ回動中心として、正面１３の内側面上で回動可能に構成され、正面１３の内側面に第１の収容物保持部２２が一部を正面１３の上部開口１０１側の端部から外部に突出されて倒伏し、この第１の収容物保持部２２上に連結部２３とともに第２の収容物保持部２４が倒伏して折り畳まれる。この仕切り２の状態を図７に示している。
次に、箱１の各形状部１１Ｐ〜１９２Ｐが折り曲げられ、各接着箇所が接着されて、箱１が組み立てられる。この箱１の組み立てについて、主として図５を用い、必要に応じて図４、図６及び図８を参照して説明する。図５において、仕切り２が正面１３の内側面に折り畳まれた状態から、まず、背面形状部１１Ｐに対して折れ線３２を介して左側面形状部１２Ｐが、それぞれの内側面を内側にして、略直角に折り曲げられ、図６に示すように、背面１１及び左側面１２が形成される。図５において、続いて、この左側面１２に対して折れ線３３を介して正面形状部１３Ｐが、それぞれの内側面を内側にして、略直角に折り曲げられ、図６に示すように、正面１３が形成される。図５、図６を同様にして交互に見ていくと、続いて、この正面１３に対して折れ線３４を介して右側面形状部１４Ｐが、それぞれの内側面を内側にして、略直角に折り曲げられ、右側面１４が形成される。続いて、背面１１に対して折れ線３１を介して接着片形状部１５Ｐが、それぞれの内側面を内側にして、略直角に折り曲げられて、接着片１５が形成され、この接着片１５が右側面１４の他方の側縁の内側に接着剤を介して接着固定される。そして左側面１２及び右側面１４に対して折れ線３９、４３を介して各下フラップ形状部１７１Ｐ、１７２Ｐが、それぞれの内側面を内側にして、略直角に折り曲げられ、各下フラップ１７Ｌ、１７Ｒが形成される。続いて、背面１１及び正面１３に対して折れ線３７、４１を介して各底本体部形状部１９１Ｐ、１９１Ｐが、それぞれの内側面を内側にして、略直角に折り曲げられ、各接着片形状部１９２Ｐ、１９２Ｐが各下フラップ１７Ｌ、１７Ｒの外側面に接着剤を介して接着固定され、各底分割面１９Ｒ、１９Ｆが形成される。これらの底分割面１９Ｒ、１９Ｆは、図４に示すように、それぞれの斜辺が底面１９の一方の対角線上に合わせられ、一方の底分割面１９Ｒ又は１９Ｆの底本体部１９１の先端側が他方の底分割面１９Ｆ又は１９Ｒの接着片１９２に固定された下フラップ１７Ｒ又は１７Ｌの内側に差し込まれるとともに、他方の底分割面１９Ｆ又は１９Ｒの底本体部１９１の先端側が一方の底分割面１９Ｒ又は１９Ｆの接着片１９２に固定された下フラップ１７Ｌ又は１７Ｒの内側に差し込まれて略四角形状に組み合わせられ、底面１９が形成される。
そして、この箱１は、既述のとおり、底面１９に折り畳み線Ｌ１、Ｌ２が形成されており、この折り畳み線Ｌ１、Ｌ２を谷にして折り畳まれると、各底分割面１９Ｒ、１９Ｆが分かれて、一方の底分割面１９Ｒは背面１１及び左側面１２との間の折れ線３７、３９を介して背面１１と左側面１２との間に折り曲げられ、他方の底面１９Ｆは正面１３及び右側面１４との間の折れ線４１、４３を介して正面１３と右側面１４との間に折り曲げられて、背面１１の内側面と左側面１２の内側面が対向し、正面１３の内側面と右側面１４の内側面が対向した状態で、箱１全体が仕切り２とともに扁平状に折り畳まれる。この状態を図８に示している。なお、この時点で、上蓋１８及び各上フラップ１６Ｌ、１６Ｒはそれぞれ、箱１の背面１１及び左右の各側面１２、１４の上部開口１０１側の端部延長上に延ばされたままにしてある。
この包装用箱Ｂはこの折り畳まれた状態で貼り機により加圧され、基部２１、各接着片１５、１９２、２６が各貼り合わせ位置に圧着されるが、この場合、既述のとおり、仕切り２が折り畳まれた状態での各部が重なり合う箇所のうち、相対的に重なりの多い箇所の重合部分の一部に切り欠き２９が形成されていて、当該重なりの多い箇所の厚さが調整されるので、箱１の表面に凸凹の加圧跡が残ることがない。
このようにして包装用箱Ｂは折り畳まれ、この状態で、プラボトルを包装する工場などに出荷される。
そして、プラボトルを包装する工場では、箱１、仕切り２が次のようにして組み立てられ、プラボトルが収容された後、他の必要な箇所が接着固定されて、プラボトルが箱１内に仕切り２に保持された状態で包装される。
まず、箱１は、図８に示す折り畳まれた状態から、左側面１２に対して背面１１を引き離し、右側面１４に対して正面１３を引き離すように、４側面を起こすと、図４に示すように、背面１１及び左側面１２との間から一方の底分割面１９Ｒが折れ線３７、３９を介して曲げ戻され、正面１３及び右側面１４との間から他方の底分割面１９Ｆが折れ線４１、４３を介して曲げ戻されて、各底分割面１９Ｒ、１９Ｆの斜辺が当該底面１９の一方の対角線上に合わせられるとともに、一方の底分割面１９Ｒの底本体部１９１の先端部側が他方の底分割面１９Ｆの接着片１９２に固定された一方の下フラップ１７Ｒの内側に差し込まれ、他方の底分割面１９Ｆの底本体部１９１の先端部側が一方の底分割面１９Ｒの接着片１９２に固定された他方の下フラップ１７Ｌの内側に差し込まれた状態の略四角形状に戻されて、底面１９が形成され、箱１の下開口１０２が閉塞される。これにより、図７に示すように、箱１は上蓋１８及び各上フラップ１６Ｌ、１６Ｒが背面１１及び左右の各側面１２、１４の上部延長上に延ばされた状態の箱形に戻される。このように箱１は箱形に戻すだけのワンタッチで組み立てが可能である。なお、この状態では、仕切り２は第１の収容物保持部２２が一部を正面１３の上部開口１０１側の端部から外部に突出されて正面１３の内側面上に倒伏されている。
次に、この状態から、第１の収容物保持部２２の一部を箱１の内部に押し入れると、これに連動して、第１の収容物保持部２２、連結部２３、第２の収容物保持部２４が、各第１の収容物保持部形状維持部２７Ｌ、２７Ｒをガイドにして箱１の内部で起こされて、図１に示すように、仕切り２が組み立てられ、第１、第２の収容物保持部２２、２４がそれぞれ支持部２５及び連結部２３を介して底面１９上に水平に支持され、第１、第２の収容物保持部形状維持部２７Ｌ、２７Ｒ、２８Ｌ、２８Ｒにより形状を維持される。この仕切り２の組み立てでは、仕切り２の連結部２３と箱１の背面１１との間に形成された隙間Ｓ（図２参照）により、連結部２３と背面１１が接触することがなく、仕切り２を円滑に動作させることができる。また、第１の収容物保持部形状維持部２７Ｌ、２７Ｒに形成された突状部２７１（図２参照）がそれぞれ、箱１の背面１１の内側面に圧接して、仕切り２の組み立て後の状態が固定され、仕切り２が箱１の内部で浮き上がることがない。また、この仕切り２の組み立ては、プラボトルの底で第１の収容物保持部２２の一部を箱１の内部に向けて押し込む動作によって行うことができ、このようにすることにより、箱１の内部に仕切り２を組み立てながら、プラボトルを箱１の内部に挿入し、箱１の内部に組み立てられた仕切り２の中に、すなわち第１、第２の収容物保持部２２、２４の各開口部２２０、２４０内に入れることができる。このように仕切り２はプラボトルの箱詰めと同時に組み立てが可能となる。言い換えれば、箱１の内部に事前に仕切り２を組み立てることなしに、プラボトルの収容が可能である。
このようにしてプラボトルが箱１内に入れられると、左側面１２及び右側面１４に対して折れ線３８、４２を介して各上フラップ形状部１６１Ｐ、１６２Ｐがそれぞれの内側面を内側にして略直角に折り曲げられて、各上フラップ１６Ｌ、１６Ｒが形成され、箱１の上開口１０１が閉塞される。続いて、背面形状部１１Ｐに対して折れ線３５を介して上蓋形状部１８Ｐが、それぞれの内側面を内側にして、略直角に折り曲げられ、上蓋１８が形成される。このとき、上蓋１８の接着片形状部１８１Ｐが内側に略直角に折り曲げられて、接着片１８１が形成され、この接着片１８１が正面１３の内側に差し込まれ、この接着片１８１と正面１３が接着剤を介して接着固定される。これにより、プラボトルの包装が完了する。この状態を図９に示す。
【００１８】
このようにして包装用箱Ｂが組み立てられ、箱１の内部に１本のプラボトルが縦置きにして収容される。そして、図９に示すように、この箱１に包装されたプラボトルはその外周面が箱１の内部に一体に立体的に組み立てられた仕切り２の第１、第２の収容物保持部２２、２４に包囲されて上下２箇所で保持され、外部の衝撃から保護される。
【００１９】
なお、この包装用箱Ｂは、正面１３の上部中央に上縁部から下方に向けて台形状にミシン目状の切り込みが入れられて、開封用の破断線Ｌ３が形成されており、箱１を開封する場合は、破断線Ｌ３で囲まれた部分を押圧して破断すればよい。これにより、上蓋１８と正面１３との接着部分が切り離され、上蓋１８を上方に引き上げることにより、箱１の上開口１０１を開放することができる。
【００２０】
包装用箱Ｂの緩衝機能を落下試験により評価した。落下試験は、ＪＩＳ Ｚ ０２０２ に従い実施した（落下高さ８０ｃｍ）。錠剤５００錠入りの２８０ｍｌボトルを包装用箱に入れた後、落下試験を実施し、その錠剤の落下ダメージによる割れ、欠けの錠数を評価した。緩衝用の仕切りの無い一般的な直方体の包装用箱の場合は、割れた錠数は、２５００錠中５錠、１．５ｍｍ以上の欠けが認められた錠数は、２５００錠中１７錠であった。一方、本発明の緩衝機能付き包装用箱を用いた場合、割れた錠数は、３０００錠中０錠、１．５ｍｍ以上の欠けが認められた錠数は、３０００錠中０錠であった。この結果より、本発明の包装用箱Ｂは良好な緩衝機能を有していることが認められた。
【００２１】
以上説明したように、この包装用箱Ｂでは、箱１に一体に形成された仕切り２が、箱１の内面に連続し、箱１の内部でプラボトルの上部側周囲を保持可能な第１の収容物保持部２２と、箱１の内面に連続し、箱１の内部でプラボトルの下部側周囲を保持可能な第２の収容物保持部２４と、第１、第２の収容物保持部２２、２４間を連結する連結部２３とを有し、箱１の内部にプラボトルを収容し、仕切り２の第１、第２の収容物保持部２２、２４でプラボトルの上下周囲を保持するようにしたので、箱１の内部の仕切り２の中でプラボトルの安定性を確保し、緩衝機能の向上を図ることができる。この場合、連結部２３の下部に箱１の内部の底部１９上で仕切り２全体を支持可能な支持部２５を併せて設けたので、箱１の内部での仕切り２の組み立て状態を安定させることができ、仕切り２の中でプラボトルをより安定的に保持することができる。なお、この支持部２５は各第２の収容物保持部２４の下部に設けられてもよく、同様の作用効果を得ることができる。さらに、第１、第２の収容物保持部２２、２４にそれぞれ、当該各収容物保持部２２、２４の形状を維持するための第１、第２の収容物保持部形状維持部２７、２８を併せて設けたので、箱１の内部での仕切り２の組み立て状態を確実に維持することができ、仕切り２の中でプラボトルをより安定的に保持することができる。
【００２２】
また、この包装用箱Ｂの場合、箱１は相互に隣り合う各側面の内面を合せて折り畳み可能に構成され、仕切り２は、箱１の内部に、第１の収容物保持部２２、第２の収容物保持部２４及び連結部２３がそれぞれ、箱１の内面に折り畳み可能に形成されて、箱１の組み立てとともに箱１の内部に仕切り２を組み立て、しかも、この仕切り２の組み立てとともに箱１の内部にプラボトルを収容できるようにして、また反対に、箱１の内部で仕切り２を折り畳み、箱１全体を折り畳めるようにしたので、仕切り２の組み立て、プラボトルの収容作業、使用済みになった箱１の廃棄を容易にすることができる。
【００２３】
さらに、この包装用箱Ｂの場合、仕切り２を箱１の内部に折り畳み可能に形成するとともに、折り畳まれた状態での各部が重なり合う箇所のうち、相対的に重なりの多い箇所の厚さを調整するための切り欠き２９を設けたので、箱１が折り畳まれた状態で各部が重なり合い、特に仕切り２の位置で相対的に重なりの多い箇所が生じることになっても、箱１の各部の接着位置を圧着するため、各部の接着片に接着剤を塗布し、これを貼り合わせ位置に合わせて、貼り機により加圧したときに、箱１の表面に凸凹状の加圧跡を残さず、箱１の見栄えを良好に維持することができる。
【００２４】
また、この包装用箱Ｂでは、特に、一枚のブランクシートを一体的に打ち抜いて形成した紙基材Ｐの既述のとおりの構成により、次のような具体的な効果を得ることができる。
（１）箱１に収容されたプラボトルの外周面を箱１の内部に一体に立体的に組み立てられた仕切り２の第１、第２の収容物保持部２２、２４により包囲して上下２箇所で保持するので、箱１の内部の仕切り２の中でプラボトルの安定性を十分に確保して、緩衝機能の向上を図ることができる。
（２）箱１は、底面１９の一方の対角線に沿って形成された折り畳み線１９３を谷にして全体が扁平状に折り畳まれ、この折り畳まれた状態から、４側面を起こすだけのワンタッチの作業で組み立てられるので、箱１の組み立てを簡単に行うことができる。仕切り２は第１の収容物保持部２２、連結部２３、第２の収容物保持部２４がそれぞれ、箱１の正面１３の内側面に固定される基部２１とこれに連接する第１の収容物保持部２２との間の折れ曲げ部、及び当該内側面に固定される接着片２６とこれに連接する第２の収容物保持部２４との間の折れ曲げ部を回動中心として、箱１内で回動可能に構成され、箱１の正面１３の内側面に第１の収容物保持部２２が一部を正面１３の上部開口１０１側の端部から外部に突出されて倒伏し、この第１の収容物保持部２２上に第２の収容物保持部２４が連結部２３とともに倒伏して、箱１とともに折り畳まれた状態から、箱１の正面１３から箱１の外部に突出する第１の収容物保持部２２の一部を箱１の内部に押し入れることにより、これに連動して第１の収容物保持部２２、連結部２３、第２の収容物保持部２４が箱１の内部で起こされて、仕切り２が組み立てられ、第１、第２の収容物保持部２２、２４がそれぞれ支持部２５及び連結部２３を介して水平に支持され、第１、第２の収容物保持部形状維持部２７Ｌ、２７Ｒ、２８Ｌ、２８Ｒにより形状を維持されるので、仕切り２は、第１の収容物保持部２２の一部を箱１の内部に押し込むだけのワンタッチの作業で、容易に組み立てることができ、しかも、第１の収容物保持部２２をプラボトルの箱１への収容と併せてプラボトルの底で押し付けて、箱１の内部に押し入れることができ、プラボトルの箱１の中への収容作業を仕切り２の組み立てとともに容易に行うことができる。
（３）箱１は底面１９の一方の対角線に沿って設けられた折り畳み線１９３を谷にして、全体が扁平状に折り畳み可能に構成され、仕切り２は箱１の正面１３の内側面上に箱１とともに折り畳まれ、箱１とともに組み立てられる形式になっていることで、貼り機を用いた生産が可能になる。
（４）仕切り２は、箱１の内部から外部に向けて引き上げるだけのワンタッチの作業で折り畳まれ、箱１は、底面１９の一方の対角線に沿って形成された折り畳み線１９３を谷にしてワンタッチで扁平状に折り畳まれるので、箱１が使用済みで不要になった場合は、箱１を仕切り２とともに扁平状に簡単に潰すことができ、廃棄しやすくすることができる。
（５）第１の収容物保持部形状維持部２７Ｌ、２７Ｒは組み立て状態での上下方向の長さが連結部２３の上下方向の長さよりも長く、第２の収容物保持部形状維持部２８Ｌ、２８Ｒの外側に配置されるので、箱１の内部で仕切り２を組み立てる動作又は折り畳む動作の際に、第１の収容物保持部形状維持部２７Ｌ、２７が第２の収容物保持部形状維持部２８Ｌ、２８Ｒの外側に押し広げられて箱１の内部で他の各部に引っ掛かることがなく、仕切り２のガイドとして、仕切り２を組み立てる動作又は折り畳む動作を円滑かつ確実に行うことができる。
（６）第２の収容物保持部形状維持部２８Ｌ、２８Ｒは組み立て状態での上下方向の長さが支持部２５の上下方向の長さよりも短いので、箱１の内部で仕切り２を組み立てる動作又は折り畳む動作の際に、第２の収容物保持部形状維持部２８Ｌ、２８Ｒが箱１の内部で他の各部に干渉して引っ掛かることがなく、仕切り２を組み立てる動作又は折り畳む動作を円滑かつ確実に行うことができる。
（７）第１の収容物保持部形状維持部２７Ｌ、２７Ｒの連結部２３側の端部に、組み立て状態の箱１の背面１１に圧接可能な突状部２７１が形成されるので、箱１の内部で仕切り２を組み立てたときに、この突状部２７１が箱１の背面１１の内側面に圧接して、仕切り２の組み立て状態が固定され、箱１の内部で仕切り２が浮き上がることがない。これにより、プラボトルの箱１の中への挿入を容易かつ確実に行うことができる。この場合、第１の収容物保持部２２の基部２１と連結部２３との間の長さ及び第２の収容物保持部２４の接着片２６と連結部２３との間の長さがそれぞれ、組み立て状態の箱１の正面１３と背面１１との間の長さよりも少し短く、組み立て状態で連結部２３と背面１１との間に隙間Ｓが形成されるので、箱１の内部で仕切り２を組み立てるとき又は折り畳むときに、連結部２３と背面１１が接触することがなく、仕切り２を円滑に動作させることができる。
（８）仕切り２は折り畳まれた状態での各部が重なり合う箇所のうち、相対的に重なりの多い箇所の重合部分の一部に切り欠き２９が形成され、当該重なりの多い箇所の厚さが調整されるので、箱１が折り畳まれた状態で各部が重なり合い、特に仕切り２の位置で相対的に重なりの多い箇所が生じることになっても、箱１の各部の接着位置を圧着するため、基部２１や各部の接着片１５、２６、１９２に接着剤を塗布し、これを貼り合わせ位置に合わせて、貼り機により加圧したときに、箱１の表面に凸凹状の加圧跡を残すことがなく、箱１の見栄えを良好に維持することができる。
また、この包装用箱Ｂにおいても、従来と同様に、箱１を仕切り２とともに１枚の紙基材Ｐを折り曲げて組み立てることにより形成するので、製造工程を簡易化し、コストの低減を図ることができることは勿論である。
【００２５】
なお、この実施の形態では、仕切り２が箱１の正面１３に形成されているが、箱１の４側面のいずれにも同様に形成することができる。この場合、上蓋１８、フラップ１６Ｌ、１６Ｒの位置は仕切り２の位置に応じて適宜変更される。
【符号の説明】
【００２６】
Ｂ  包装用箱
１  箱
１０１  開口
１０２  開口
１１  背面
１２  左側面
１３  正面
１４  右側面
１５  接着片
１６Ｌ  上フラップ
１６Ｒ  上フラップ
１７Ｌ  下フラップ
１７Ｒ  下フラップ
１８  上蓋
１８１  接着片
１９  底面
１９Ｆ  底分割面
１９Ｒ  底分割面
１９１  底本体部
１９２  接着片
１９３  折り畳み線
２  緩衝用の仕切り
２１  基部
２２  第１の収容物保持部
２２０  開口部
２３  連結部
２４  第２の収容物保持部
２４０  開口部
２５  支持部
２６  接着片
２７（２７Ｌ、２７Ｒ）  第１の収容物保持部形状維持部
２７１  突状部
２８（２８Ｌ、２８Ｒ）  第２の収容物保持部形状維持部
Ｓ  隙間
２９  切り欠き
Ｐ  紙基材
１Ｐ  箱形成形状部
１１Ｐ  背面形状部
１２Ｐ  左側面形状部
１３Ｐ  正面形状部
１４Ｐ  右側面形状部
１５Ｐ  接着片形状部
１６１Ｐ  上フラップ形状部
１６２Ｐ  上フラップ形状部
１７１Ｐ  下フラップ形状部
１７２Ｐ  下フラップ形状部
１８Ｐ  上蓋形状部
１８１Ｐ  接着片形状部
１９１Ｐ  底本体部形状部
１９２Ｐ  接着片形状部
２Ｐ  仕切り形成形状部
２１Ｐ  基部形状部
２１０  穴
２２Ｐ  第１の収容物保持部形状部
２３Ｐ  連結部形状部
２４Ｐ  第２の収容物保持部形状部
２５Ｐ  支持部形状部
２６Ｐ  接着片形状部
２７ＬＰ、２７ＲＰ  第１の収容物保持部形状維持部形状部
２８ＬＰ、２８ＲＰ  第２の収容物保持部形状維持部形状部
３１〜４５  折れ線
４４Ｓ、４５Ｓ  切り込み
４６１〜４６８  折れ線
Ｌ１、Ｌ２  折り畳み線
Ｌ３  破断線
【図１】
2013203415.tif 000003
【図２】
2013203415.tif 000004
【図３】
2013203415.tif 000005
【図４】
2013203415.tif 000006
【図５】
2013203415.tif 000007
【図６】
2013203415.tif 000008
【図７】
2013203415.tif 000009
【図８】
2013203415.tif 000010
【図９】
2013203415.tif 000011
【図１０】
2013203415.tif 000012
【図１１】
2013203415.tif 000013
【図１２】
2013203415.tif 000014